(57)【特許請求の範囲】
【請求項１】
出湯及び出湯停止などの操作に伴い電磁弁の開閉その他の湯沸かし機能部に動作指令をする電装基板を器体の下部一側の前面寄りに起立して備えた湯沸器において、
上記電装基板を収納し、下部に下方に延びた支持脚を備え、かつ、上部一側には取付部との位置決めを兼備するビス止め用の取付座を備えた電装基板のケースと、
前記電装基板のケースの下方に延びた支持脚を上方より差し込むスリット孔と、前面には前記電装基板のケースを保持する前壁上端面とが設けられた凸部が前面下部に備えられた乾電池ケースと
を備えたことを特徴とする湯沸器。
【発明の詳細な説明】
【０００１】
【発明の属する技術分野】
この発明は湯沸器に関し、詳しくは、薄型湯沸器の縦型電装基板の取付け手段に改良を施した湯沸器に関する。
【０００２】
【従来の技術】
近年、薄型の湯沸器が主流となっており、その機能部品の１つである電装基板は器体の下部一側の前面寄りに起立して備えられているが、電装基板を取り付ける手段として従来は電装基板の数個所を相手部品等の支持部材にビス止めにより取り付けている。
【０００３】
【発明が解決しようとする課題】
しかしながら、こうした取付け手段では、工場組立時は器体を寝かせて作業するため、それほど問題とならないが、メンテナンス時等のように取付け状態で作業をする場合は、片手で支えながらビスの取り付け、取り外しを行う必要があるから、作業性が極めて悪く多くの手間を要するという問題があった。
【０００４】
この発明の湯沸器は上記課題を解決し、縦型電装基板の取り付け、取り外しが容易に、しかも、迅速、確実に行いうるようにして作業性の向上を図った湯沸器の提供を目的としている。
【０００５】
【課題を解決するための手段】
上記課題を解決するこの発明の請求項１の湯沸器は、
出湯及び出湯停止などの操作に伴い電磁弁の開閉その他の湯沸かし機能部に動作指令をする電装基板を器体の下部一側の前面寄りに起立して備えた湯沸器において、
上記電装基板を収納し、下部に下方に延びた支持脚を備え、かつ、上部一側には取付部との位置決めを兼備するビス止め用の取付座を備えた電装基板のケースと、
前記電装基板のケースの下方に延びた支持脚を上方より差し込むスリット孔と、前面には前記電装基板のケースを保持する前壁上端面とが設けられた凸部が前面下部に備えられた乾電池ケースと
を備えたことを要旨とする。
【０００７】
上記構成を有するこの発明の請求項１の湯沸器は、電装基板のケースの下部に備えられている支持脚を乾電池ケースの前面下部の凸部に設けたスリット孔に差し込み、凸部の前壁上端面で前記電装基板のケースを保持すると、電装基板のケースは倒れたり落下することのないよう乾電池ケース上に起立保持される。この結果、電装基板のケースの取り付け及び取り外しは後述するビス止め作業の簡便化と相まって片手作業でも容易に行い得て作業性は著しく向上する。
また、上記支持脚をスリット孔に差し込んだ後、電装基板のケースの上部一側に備えられている取付座を相手部品等にビス止めするだけで電装基板の位置決め及び取付けが行いうる。この結果、簡単な作業で電装基板の取り付け及び取り外しができる。
【０００８】
そして、電装基板の下部に取付け設置される相手部品たる乾電池ケースの前面下部の凸部に電装基板のケースの支持脚を差し込むスリット孔を備えたから、専用の支持部材を備える必要はない。この結果、器体のコンパクト化は勿論のこと、コスト的にも安くなる。
【０００９】
【発明の実施の形態】
以上説明したこの発明の構成、作用を一層明らかにするために、以下にこの発明の湯沸器の好適な実施の形態の一例について図面を参照して詳細に説明する。
【００１０】
図面において、Ａは電装基板で、湯沸器の器体Ｂの下部一側の前面寄りに起立して備えられ、湯沸器の点火及び出湯、消火及び出湯停止などの操作に伴い電磁弁の開閉その他の湯沸かし機能部に電気的に動作指令を与えるほか、吹き消え、異常過熱時のガス制御指令などをもなすためのもので、この電装基板Ａは、たとえば、基板１に高圧トランス２、コンデンサー３、トランジスター４、コネクター５等の実装部品を備えており、耐候性の向上と安全作動を保つためにポッティング処理が施されている。このポッティング処理は図示しないがケース６内に基板１を収納配置し、ケース６内に２液混合の絶縁材を流し込んで基板１を絶縁材で包み込んで固める処理である。
【００１１】
上記電装基板Ａのケース６には、その下部後方に支持脚７を、また、上部右側に取付座８を一体に備え、支持脚７は乾電池ケースＣの前面下部に備えられた凸部９のスリット孔１０に差し込むだけで電装基板Ａを起立状に保持するものであり（図４及び図５参照）、また、取付座８は相手部品の取付部等に取付けネジ１１等でビス止めするだけで電装基板Ａの位置決め、取付けができるようになっている（図６参照）。
【００１２】
すなわち、支持脚７を支持脚７より幅広に形成されたスリット孔１０に上方から差し込むと、スリット孔１０の前壁上端面１２で電装基板Ａの重量が支えられることと相まって電装基板Ａは倒れたり、落下することのないように起立して保持され（図５参照）、また、取付座８のビス孔１３と相手部品等の取付部１４に備えた凸部１５とが嵌合する、いわゆる、ビス孔１３と凸部１５との間にイン・ローの関係をとっておけばその位置決めは容易に行いうる（図６参照）。そして、取付座８はケース６の上部右側に設けることで、大多数の右ききの人にとっての作業を容易とする（図４参照）。なお、上記取付座８のビス止めは、図３に示されているように他の構成部品とともに行ってもよい。
【００１３】
上記器体Ｂは、バックカバー１６内に熱交換器１７、メインバーナ１８、点滅器１９、操作ボタン２０、フレームロッド２１、点火ロッド２２等の湯沸かし機能部を備え、かつ、これらに接続する給水接続口２３、ガス接続口２４、出湯口２５等をも備えた構成となっており、この器体Ｂの前面にはフロントカバー２６が脱着可能に備えられ、全体として薄型に形成されている（図１〜図３参照）。
【００１４】
以上この発明の実施の形態の一例について説明したが、この発明はこうした実施の形態に何等限定されるものではなく、この発明の要旨を逸脱しない範囲において種々なる形態で実施しうること勿論である。
たとえば、上記実施の形態では支持脚を差し込むスリット孔を乾電池ケースに設けたが、その他の相手部品を利用してもよく、また、専用のスリット孔を設けてもよい。また、取付座をケースの上部右側に設けたが、左側でもよく、位置決めをするための手段としてはビス孔と相手部品等との間のイン・ローの関係以外の手段でもよいこと勿論である。
【００１５】
【発明の効果】
この発明の湯沸器は以上説明したような形態で実施され、以下に記載されるような効果を奏する。
【００１６】
この発明の請求項１の湯沸器によれば、支持脚を乾電池ケースの前面下部の凸部に設けたスリット孔に差し込み、凸部の前壁上端面で前記電装基板のケースを保持して電装基板を起立状に保持した後、上部一側の１つの取付座を相手部品等にビス止めするだけで電装基板を所定の位置に取付け固定できるから、簡単な作業で電装基板のケースの取り付け又は取り外しが可能であるために片手での作業ができ作業性は著しく向上する。
【００１７】
そして、電装基板の下部に設置される乾電池ケースの前面下部の凸部に電装基板のケースの支持脚を差し込むスリット孔を備えたから、専用の支持部材を設ける必要はなく、器体のコンパクト化は勿論のことコスト的にも著しく安くなる。
【図面の簡単な説明】
【図１】この発明の湯沸器の一例を示した全体正面図である。
【図２】その仰視図である。
【図３】フロントカバーを取り外した器体の正面図である。
【図４】電装基板と乾電池ケースの関係を示した正面図である。
【図５】その要部だけの側面図である。
【図６】電装基板の上部一側のビス止め部分の一例を示した断面図である。
【符号の説明】
Ａ…電装基板
Ｂ…器体
Ｃ…乾電池ケース
７…支持脚
８…取付座
１０…スリット孔
【図１】
0003943714.tif 000002
【図２】
0003943714.tif 000003
【図３】
0003943714.tif 000004
【図４】
0003943714.tif 000005
【図５】
0003943714.tif 000006
【図６】
0003943714.tif 000007